(57)【要約】      （修正有）【課題】使用済みティッシュペーパーを保管・携帯できるポケットティッシュカバーを提供する。【解決手段】ポケットティッシュを収納し、片方の面側の中央部に取り出し口４を有する略矩形かつ袋状のカバー本体２と、このカバー本体の一の縁辺から延出し上記取り出し口４を被覆可能な蓋部３とを備え、上記蓋部がカバー本体の片方の面側に開口するポケット構造を有し、このポケット構造の少なくとも内面側が撥水性を有するポケットティッシュカバーである。ＪＩＳ−Ｌ１０９２に準拠した洗濯２０回後における上記ポケット構造の内面側の撥水度が３級以上であること、上記ポケット構造の少なくとも内面側が抗菌性をさらに有すること、上記カバー本体及び蓋部のそれぞれに取り付けられる一対の係止具５，７が上記取り出し口を被覆した状態の蓋部を係止可能に構成されることが好ましい。【選択図】図１
0003159187.tif 000002
【実用新案登録請求の範囲】
【請求項１】
ポケットティッシュを収納し、片方の面側の中央部に取り出し口を有する略矩形かつ袋状のカバー本体と、
このカバー本体の一の縁辺から延出し、上記取り出し口を被覆可能な蓋部とを備え、
上記蓋部が、カバー本体の片方の面側に開口するポケット構造を有し、
このポケット構造の少なくとも内面側が、撥水性を有するポケットティッシュカバー。
【請求項２】
ＪＩＳ−Ｌ１０９２に準拠した洗濯２０回後における上記ポケット構造の内面側の撥水度が、３級以上である請求項１に記載のポケットティッシュカバー。
【請求項３】
上記ポケット構造の少なくとも内面側が、抗菌性をさらに有する請求項１又は請求項２に記載のポケットティッシュカバー。
【請求項４】
上記カバー本体及び蓋部のそれぞれに取り付けられる一対の係止具を有し、
この一対の係止具が、上記取り出し口を被覆した状態の蓋部を係止可能に構成される請求項１から請求項４のいずれか１項に記載のポケットティッシュカバー。
【考案の詳細な説明】
【技術分野】
【０００１】
本考案は、ポケットティッシュカバーに関する。
【背景技術】
【０００２】
ポケットティッシュは、ウェットタイプのものも含めて、外出の際の手拭きや鼻かみ等に広く使用されている。しかしながら、例えば公共の乗り物の中や屋外等においてゴミ箱がない場合、使用済みのティッシュペーパーを一時的にズボンのポケットや鞄の中に入れる必要があり、ズボンのポケットや鞄の中に汚れが生じる又は不衛生であるという不都合がある。また、使用済みのティッシュペーパーをゴミ箱に捨てずにポイ捨てすることは、近年におけるエコロジー、マナー、モラルの要請に反するものである。
【０００３】
そこで、例えば、使用したティッシュを素早く捨てられるようにするゴミ入れ付ポケットティッシュ携帯袋が提案されている（特開平１１−１２４１８８号公報等）。このゴミ入れ付ポケットティッシュ携帯袋は、袋の外側にゴミ入れ口を有し、そのゴミ入れ口の内面側にゴミを収納するための中袋を備えている。
【０００４】
しかしながら、上記ゴミ入れ付ポケットティッシュ携帯袋は、ゴミ入れ口が外部に開放されているため、このゴミ入れ口から使用済みのティッシュペーパーが脱落しやすく、保管・携帯の改善には至っていない。また、このゴミ入れ口や中袋に、例えば食べ残しや排泄物を拭き取った後の使用済みティッシュペーパーを収納すると、汚れや不衛生に係る不都合も生じる。
【先行技術文献】
【特許文献】
【０００５】
【特許文献１】特開平１１−１２４１８８号公報
【考案の概要】
【考案が解決しようとする課題】
【０００６】
本考案は、これらの不都合に鑑みてなされたものであり、使用済みのティッシュペーパーを一時的に保管・携帯でき、汚れや不衛生に係る不都合を解消できるポケットティッシュカバーの提供を目的とするものである。
【課題を解決するための手段】
【０００７】
上記課題を解決するためになされた考案は、
ポケットティッシュを収納し、片方の面側の中央部に取り出し口を有する略矩形かつ袋状のカバー本体と、
このカバー本体の一の縁辺から延出し、上記取り出し口を被覆可能な蓋部とを備え、
上記蓋部が、カバー本体の片方の面側に開口するポケット構造を有し、
このポケット構造の少なくとも内面側が、撥水性を有するポケットティッシュカバーである。
【０００８】
当該ポケットティッシュカバーは、蓋部がカバー本体の片方の面側に開口するポケット構造を有し、かかるポケット構造に使用済みのティッシュペーパーを収納して一時的に保管・携帯することができる。さらに、この蓋部をカバー本体の片方の面側に被覆させることで、ポケット構造に収納した使用済みのティッシュペーパーが外部に脱落することを効果的に防止し、その結果、使用済みティッシュペーパーの保管・携帯をより確実なものとすることができる。また、当該ポケットティッシュカバーのポケット構造の少なくとも内面側が撥水性を有することにより、ポケット構造に収納した使用済みティッシュペーパーから滲出する水分が蓋部を通じて外部に漏出することを効果的に防止又は低減でき、その結果、当該ポケットティッシュカバーは、汚れや衛生性に係る不都合を改善することができる。
【０００９】
ＪＩＳ−Ｌ１０９２に準拠した洗濯２０回後における上記ポケット構造の内面側の撥水度としては、３級以上であることが好ましい。このように、上記ポケット構造の内面側の撥水度を上記範囲とすることで、ポケット構造に収納した使用済みティッシュペーパーの水分の外部への漏出を確実に防止又は低減でき、当該ポケットティッシュカバーは、汚れや衛生性に係る不都合をより一層改善することができる。
【００１０】
上記ポケット構造の少なくとも内面側は、抗菌性をさらに有するとよい。このように、上記ポケット構造の少なくとも内面側が撥水性に加えて抗菌性をさらに有することで、例えば食べ残しや排泄物を拭き取った後の使用済みティッシュペーパーを収納したポケット構造内部において、大腸菌やぶどう球菌等の細菌の発生・増殖を防止又は低減することができる。その結果、当該ポケットティッシュカバーは、悪臭の発生や細菌の感染を未然に防止でき、汚れや衛生性に係る不都合の改善を確実なものとすることができる。
【００１１】
当該ポケットティッシュカバーは、上記カバー本体及び蓋部のそれぞれに取り付けられる一対の係止具を有し、この一対の係止具が上記取り出し口を被覆した状態の蓋部を係止可能に構成されるとよい。このように、一対の係止具を用いてカバー本体と蓋部との被覆状態を維持できることで、当該ポケットティッシュカバーは、ポケット構造に収納した使用済みティッシュペーパーの外部への脱落を効果的に防止でき、その結果、使用済みティッシュペーパーの保管・携帯をより確実なものとすることができる。
【００１２】
ここで、「ポケットティッシュ」とは、複数枚のティッシュペーパーを積層して１枚ずつ取り出し可能に構成されるものを意味する。「ティッシュペーパー」とは、ポケットティッシュから1枚又は複数枚取り出し、実際の手拭き等に使用するものであり、ウェットタイプのティッシュペーパーも含むものを意味する。「袋状」とは、物を収納又は取り出すことができる容器状の形状を意味する。「一対の係止具」とは、２つの係止具から構成され、これらの係止具を接合して固定でき、さらに離脱して固定を解除できる部材を意味する。
【考案の効果】
【００１３】
以上説明したように、本考案のポケットティッシュカバーは、蓋部のポケット構造の内部に使用済みティッシュペーパーを収納し、蓋部をカバー本体に被覆させて使用済みティッシュペーパーの脱落を防止できることから、保管・携帯を効果的かつ確実なものとすることができる。また、本考案のポケットティッシュカバーは、使用済みティッシュペーパーの水分の外部への漏出を防止又は低減できることから、汚れや不衛生に係る不都合を十分改善することができる。
【図面の簡単な説明】
【００１４】
【図１】（ａ）は、本考案の一実施形態に係るポケットティッシュカバーの蓋部がカバー本体を被覆していない状態の正面図である。（ｂ）は、（ａ）のポケットティッシュカバーのＡ−Ａ’線断面における模式的断面図である。
【図２】図１のポケットティッシュカバーの蓋部がカバー本体を被覆している状態の正面図である。
【考案を実施するための形態】
【００１５】
以下、適宜図面を参照しつつ本考案の実施の形態を詳説する。
【００１６】
（ポケットティッシュカバー）
図１のポケットティッシュカバー１は、カバー本体２及び蓋部３を備えている。
【００１７】
（カバー本体）
カバー本体２は、略矩形かつ袋状の部材であり、ポケットティッシュを収納可能に構成されている。このカバー本体２は、ティッシュペーパーの取り出し口４及び係止具５を備える。
【００１８】
カバー本体２の素材の種類としては、特に限定されず、例えば織布、不織布、編物等から構成される布帛を使用することができる。中でも、取扱いの容易性や入手容易性の観点から、天然繊維、合成繊維、半合成繊維又はこれらの複合繊維から構成される布帛を使用することが好ましい。なお、カバー本体２は、これらの布帛を縫着又は接着して製造することができる。
【００１９】
上記天然繊維としては、例えばコットン、シルク、羊毛、麻等が挙げられる。上記合成繊維としては、例えばナイロン繊維、ポリエチレン繊維、ポリプロピレン繊維、ポリスチレン繊維、ポリエステル繊維、ポリアミド繊維、アクリル繊維、ポリビニルアルコール繊維、ポリエチレンテレフタレート繊維、ウレタン繊維、アクリル繊維、エチレン酢酸ビニル繊維等が挙げられる。上記半合成繊維としては、例えばレーヨン繊維、キュプラ、アセテート繊維等が挙げられる。上記複合繊維としては、例えばポリエチレン／ポリエステル（ポリエチレンテレフタレートを含む）複合繊維、ポリエチレン／ポリプロピレン複合繊維、エチレン酢酸ビニル／ポリプロピレン複合繊維等が挙げられる。
【００２０】
カバー本体２のサイズは、市販や配布されているポケットティッシュを収納できるサイズであれば特に限定されず、また、かかるポケットティッシュの形状やサイズに応じて調整することができる。例えば、カバー本体の長辺を１１ｃｍ以上１３ｃｍ以下、短辺を８ｃｍ以上１０ｃｍ以下とするとよい。このカバー本体の長辺及び短辺を上記範囲とすることで、カバー本体２は、一般的に市販や配布されているポケットティッシュ（長辺が約１１ｃｍ、短辺が約８ｃｍ程度）を十分に収納できると共に、収納時におけるコンパクト性や、カバー本体２とポケットティッシュとの良好なフィット性を実現することができる。
【００２１】
取り出し口４は、カバー本体２の片方の面側の中央部に配設され、カバー本体２に収納したポケットティッシュからティッシュペーパーを取り出すための開口部である。この取り出し口４の形状としては、特に限定されず、図１に示す通り、略矩形状とすることや、略円形、略三角形等とすることができる。なお、かかる取り出し口４を通じてポケットティッシュを収納することもできる。
【００２２】
係止具５は、カバー本体２及び蓋部３のそれぞれに取り付けられる一対の係止具のうち一の部材である。この係止具５は、カバー本体２における取り出し口４を有する面側に配設され、後述の係止具７と対をなし、係止具７と接合・離脱可能な部材である。具体的には、係止具５は凹型の嵌めボタンである。
【００２３】
（蓋部）
蓋部３は、カバー本体２の一の縁辺から延出し、カバー本体２の取り出し口４を被覆可能に形成される部材である。かかる蓋部３は、撥水性布帛６及び係止具７を備えている。
【００２４】
蓋部３は、カバー本体２の一の縁辺から延出していることで、この縁辺を基準として容易に開閉が可能となり、カバー本体２の取り出し口４を被覆することができる。このように、蓋部３が取り出し口４を被覆することで、後述のポケット構造に収納した使用済みのティッシュペーパーが外部に脱落することを効果的に防止し、その結果、使用済みティッシュペーパーの保管・携帯をより確実なものとすることができる。また、蓋部３が取り出し口４を被覆することで、取り出し口４から外部に露出するティッシュペーパーを保護又は隠蔽することができる。なお、かかる蓋部３は、カバー本体２の一の縁辺において、縫着又は接着されている構成や、或いはカバー本体２の素材と一体的に形成されている構成を採用することができる。
【００２５】
蓋部３は、カバー本体２の片方の面側（被覆面側）に開口するポケット構造を有する。具体的には、このポケット構造は、蓋部３をカバー本体２に被覆させた状態において、カバー本体２の上記片方の面側かつ一の縁辺側に開口している。このようなポケット構造に使用済みのティッシュペーパーを収納して、一時的に保管・携帯することができる。さらに、蓋部３をカバー本体２の片方の面側に被覆させることで、ポケット構造に収納した使用済みのティッシュペーパーが外部に脱落することを効果的に防止でき、その結果、使用済みティッシュペーパーの保管・携帯をより確実なものとすることができる。
【００２６】
蓋部３の素材の種類としては、特に限定されず、上述のカバー本体２の場合と同様とすることができる。また、蓋部３は、上述のカバー本体２の場合と同様に、これらの布帛を縫着又は接着して製造することもできる。
【００２７】
蓋部３のサイズは、蓋部３がカバー本体２の取り出し口４全体を十分被覆することができるのであれば特に限定されない。また、蓋部３のポケット構造における開口部の面積及びポケット構造の容積は、複数枚の使用済みティッシュペーパーを収納可能なサイズであれば特に限定されない。
【００２８】
撥水性布帛６は、上記ポケット構造の少なくとも内面側に配設され、撥水性を発揮する部材である。この撥水性布帛６により、上記ポケット構造の少なくとも内面側が撥水性を有することで、例えば食べ残しや排泄物を拭き取った後の使用済みティッシュペーパーをポケット構造に収納している場合、かかる使用済みティッシュペーパーから滲出する水分が蓋部３を通じて外部に漏出することを効果的に防止又は低減でき、その結果、ポケットティッシュカバー１は、汚れや衛生性に係る不都合を改善することができる。また、かかる撥水性布帛６が、ポケット構造の内面側に加えて外面側にも配設されていることで、上述した使用済みティッシュペーパーの水分の外部への漏出をより一層効果的に防止又は低減することができる。なお、かかる撥水性布帛６は、上記ポケット構造の少なくとも内面側に縫着又は接着して配設することができる。
【００２９】
撥水性布帛６の種類としては、特に限定されず、例えば撥水性を有する繊維素材から形成される布帛、撥水加工を施した布帛等が挙げられる。
【００３０】
上記撥水性を有する繊維素材の種類としては、特に限定されず、例えばフッ素繊維、ポリエステル繊維、ポリエチレン繊維等が挙げられる。中でも、入手や加工が容易で優れた撥水性を示すフッ素繊維を使用することが好ましい。
【００３１】
上記撥水加工を施した布帛に用いる布帛の種類としては、特に限定されず、上述のカバー本体２の場合と同様とすることができる。また、撥水加工に用いる撥水剤についても特に限定されず、例えばシリコン系撥水剤、フッ素系撥水剤等が挙げられ、中でも、耐久性のある撥水性を付与するために、フッ素系撥水剤とメラミン化合物、イソシアネート化合物等を併用することが好ましい。なお、かかる撥水加工では、パッド法、スプレー法等により撥水処理することが好ましく、中でも、撥水剤を布帛内部まで十分浸透させることから、パッド法が特に好ましい。
【００３２】
撥水性布帛６におけるＪＩＳ−Ｌ１０９２（繊維製品の防水性試験方法、スプレー試験）に準拠した洗濯２０回後の撥水度としては、３級（表面に小さな個々の水滴上の湿潤を示すもの）以上が好ましい。このように、上記ポケット構造の内面側に撥水性布帛６を配設した場合におけるポケット構造内面側の撥水度を上記範囲とすることで、ポケット構造に収納した使用済みティッシュペーパーの水分の外部への漏出を確実に防止又は低減できることから、ポケットティッシュカバー１は、汚れや衛生性に係る不都合をより一層改善することができる。なお、この撥水度が３級未満であると、上述した使用済みティッシュペーパーの水分が蓋部３の外部へ漏出しやすくなるおそれがある。
【００３３】
撥水性布帛６は、抗菌性をさらに有するとよい。この撥水性布帛６が抗菌性を有することで、上記ポケット構造の少なくとも内面側は、撥水性に加えて抗菌性をさらに有することとなる。その結果、ポケットティッシュカバー１は、例えば食べ残しや排泄物を拭き取った後の使用済みティッシュペーパーを収納した上記ポケット構造内部において、大腸菌やぶどう球菌等の細菌の発生・増殖を防止又は低減できる。その結果、ポケットティッシュカバー１は、悪臭の発生や細菌の感染を未然に防止でき、汚れや衛生性に係る不都合の改善をより確実なものとすることができる。また、このように抗菌性を有する撥水性布帛６が、ポケット構造の内面側に加えて外面側にも配設されていることで、上述した細菌の発生・増殖をより一層効果的に防止又は低減することができる。
【００３４】
このように、抗菌性を有する撥水性布帛６は、２．３×１０４個の大腸菌を接種し、３７±２℃にて１８時間保存して、２５個以下になる程度の抗菌性を有するように抗菌剤によって処理されたものである。また、この抗菌性を有する撥水性布帛６は、３．３×１０４個のぶどう球菌を接種し、３７±２℃にて１８時間保存して、２０個以下になる程度の抗菌性を有するように抗菌剤によって処理されたものでもある。このような抗菌性を有する撥水性布帛６を用いることで、例えば、食後の食べ残しを拭いたり赤ちゃんの大便を拭いたりした後の使用済みティッシュペーパーにおいて、これらの細菌に対する高い抗菌作用を発揮することができ、ポケットティッシュカバー１の使用を原因とする食中毒や抵抗力の低下を未然に防止することができ、その結果、衛生性に係る不都合を確実に改善させることができる。
【００３５】
上記抗菌剤の種類としては、特に限定されず、例えば３，４，４−トリクロロカルバニリド、レゾルシン、フェノール、ヘキサクロロフェン、トリクロサン、イソプロピルメチルフェノールなどのノニオン系抗菌剤；塩化ベンザルコニウム、塩化ベンゼトニウム、塩化アルキルトリメチルアンモニウム、ジンクピリチオンなどのカチオン系抗菌剤；ソルビン酸、サリチル酸などのアニオン系抗菌剤；銀、銅、亜鉛、白金、ニッケル、光触媒作用を有する酸化チタンなどの金属を含有する無機抗菌剤等が挙げられ、これらの抗菌剤を１種単独又は２種以上併用して使用することができる。また、これらの抗菌剤を用いた抗菌処理の方法についても、特に限定されず、例えば水、エタノール、酢酸エチル、クロロホルム、アセトン等の溶媒に上記抗菌剤を混合した溶液を、ロールコーター法、ディッピング法、刷毛塗り法、スプレーコート法等の方法を用いて撥水性布帛６に塗布し、次いで適温で乾燥させることにより行うことができる。
【００３６】
係止具７は、上述した一対の係止具のうち一の部材であり、蓋部３の被覆面側に配設される部材である。この係止具７は、上記係止具５と対をなし、係止具５と接合・離脱可能である凸型の嵌めボタンである。
【００３７】
（ポケットティッシュカバーの使用方法）
次に、ポケットティッシュカバー１の使用方法について詳説する。
【００３８】
使用前においては、まず、カバー本体２の取り出し口４を通じてポケットティッシュを収納する。次いで、蓋部３を取り出し口４に被覆させる。その際、カバー本体２に配設される係止具５と、蓋部３に配設される係止具７と嵌め込んで係止・固定させ、蓋部３が取り出し口４を被覆した状態を維持させる。
【００３９】
使用時においては、上述の係止具５と係止具７とを分離して係止を解除し、蓋部３を開蓋し、取り出し口４からティッシュペーパーを取り出して使用する。そして、使用済みのティッシュペーパーを蓋部３のポケット構造の内部に収納・保管した後、上述の使用前の場合と同様に、蓋部３を取り出し口４に被覆させ、係止具５と係止具７とを係止させる。その結果、使用済みのティッシュペーパーは、ポケットティッシュカバー１から脱落することなく、上記ポケット構造の内部に留まることとなる。
【００４０】
なお、本考案のポケットティッシュカバーは、上記の実施形態に限定されるものではない。例えば、本考案のポケットティッシュカバーにおいて、（１）取り出し口を、カバー本体の長手方向又は短手方向に沿って、一辺の端から他辺の端まで連続的に形成される略直線状の切れ込みとすること、（２）ポケット構造が、蓋部をカバー本体に被覆させた状態において、カバー本体の片方の面側であって、かつ一の縁辺側とは反対方向に開口していること、（３）係止具として、凹凸面状テープ、掛けボタン、マグネットボタン等を用いること、（４）蓋部自体を撥水処理及び／又は抗菌処理すること等が可能である。
【産業上の利用可能性】
【００４１】
以上のように、本考案のポケットティッシュカバーは、使用済みティッシュペーパーの保管性・携帯性や衛生性に優れているため、従来のポケットティッシュカバーに代替する製品として好適に普及され得る。また、本考案のポケットティッシュカバーは、入手容易な素材を使用して製造できることから、大量生産性、低コスト性に優れる。
【符号の説明】
【００４２】
１  ポケットティッシュカバー
２  カバー本体
３  蓋部
４  取り出し口
５  係止具
６  撥水性布帛
７  係止具
【図１】
0003159187.tif 000003
【図２】
0003159187.tif 000004
【手続補正書】
【提出日】平成22年3月3日(2010.3.3)
【手続補正１】
【補正対象書類名】実用新案登録請求の範囲
【補正対象項目名】請求項４
【補正方法】変更
【補正の内容】
【請求項４】
上記カバー本体及び蓋部のそれぞれに取り付けられる一対の係止具を有し、
この一対の係止具が、上記取り出し口を被覆した状態の蓋部を係止可能に構成される請求項１、請求項２又は請求項３に記載のポケットティッシュカバー。